(57)【要約】【課題】従来の鎮痛・消炎用塗り薬又は貼り薬は、いずれも使い捨てで繰り返し使用できず、また直接肌に塗ったり貼り付けたりするため肌への負担が解消できなかった。【解決手段】木綿生地などの袋に詰めた焼き塩を電子レンジで加熱・乾燥させたものをそれぞれの部位に適合する形状の装着具に設けたポケットに差し入れて使用する。【選択図】図５
0003139423.tif 000002
【実用新案登録請求の範囲】
【請求項１】
天然の焼き塩を木綿生地の袋状容器に入れて電子レンジで加熱後に患部に当てて使用する焼き塩パック。
【請求項２】
天然の焼き塩を木綿生地の袋状容器に入れて電子レンジで加熱後に患部に当てて使用する焼き塩パックを、鼻と口「図１」・喉と気管「図２」・肩「図３」・背中「図４」・下腹と腰「図５」・肘「図６」・手首「図７」・膝「図８」および足首「図９」などの人体の各部位にフィットするように形作った布製の装着具に設けたポケットに挿入して使用するようにした焼き塩パックのセット。
【考案の詳細な説明】
【技術分野】
【０００１】
本考案は、焼き塩を木綿生地に入れて肩凝りなどの症状を和らげるためのパックに関するものである。
【背景技術】
【０００２】
喉の痛みや肩凝り・腰痛などを和らげるための塗り薬や張り薬などは多種多様のものが実用され知られている。【０００３】
しかし、殆んどのものが直接肌に塗り又は貼って使用するため肌に対する刺激などの負担が発生しやすい。【０００４】
またいずれも使い捨てになっていて繰り返し使用できるものが無い。
【特許文献１】実開昭６３−１３３２１３号公報
【特許文献２】実開平６−１０３２１号公報
【考案の開示】
【考案が解決しようとする課題】
【０００５】
従来の鎮痛・消炎用塗り薬又は貼り薬は、いずれも使い捨てで繰り返し使用できず、また、直接肌に塗ったり貼り付けたりするため肌への負担が解消できなかった。
【課題を解決するための手段】
【０００６】
本考案は、木綿生地などの袋に詰めた焼き塩を電子レンジで加熱・乾燥させたものを、それぞれの部位に適合する形状の装着具に設けたポケットに差し入れて使用する。
【考案の効果】
【０００７】
本考案の焼き塩パックは、肌に優しい木綿生地と自然の恵みの焼き塩を使用することにより肌に対する負担が少なく、また木綿生地などの袋に詰めた焼き塩を電子レンジで加熱・乾燥させて使用するので繰り返し使用できて環境にも優しいという効果がある。【０００８】
鼻と口「図１」、喉と気管「図２」、肩「図３」、背中「図４」、下腹と腰「図５」、肘「図７」、手首「図８」、膝「図９」および足首「図１０」などに焼き塩パックを当てられるように形作った布製の装着具を用意し、必要な部位にフィットする装着具に設けられたポケットに電子レンジで加熱処理した焼き塩パックを挿入して使用するようにした。焼き塩は海水から作られた天然の塩を焼いたものを使用し、焼き塩パックの袋は電子レンジで過熱しても変質しにくい木綿生地製とし、この焼き塩パックを装着するための装着具も肌に優しい木綿生地などの布製又は紙製のものを使用する。また焼き塩パックの大きさ・形状は使用する部位に合わせて数種類用意する。
【実施例１】
【０００９】
図１は、本考案を鼻と口の部位に適用する場合の１実施例を示す概要図である。通常のマスクに焼き塩パックを挿入するポケットを設けた例である。【００１０】
図２は、本考案を喉と気管の部位に適用する場合の１実施例を示す概要図である。首に巻きつけてマジックテープ（登録商標）で留めるようにした三角巾状のベルトに焼き塩パックを挿入するポケットを設けた例である。【００１１】
図３は、本考案を肩に適用する場合の１実施例を示す概要図である。洋服の上着の左右の肩パット状の装着具を紐で繋ぎ、左右の腋の下にもそれぞれ紐を掛けて固定する例を示す。【００１２】
図４は、本考案を肩から背中上部に適用する場合の１実施例を示す概要図である。幅広の装着具を固定する方法は図３の場合とほぼ同じである。【００１３】
図５は、本考案を腹部と腰部に適用する場合の１実施例を示す概要図である。装着具は図６に示すように幅広の帯状体に腹部（前）用と腰部（後ろ）用のポケットと固定用のマジックテープ（登録商標）を取り付けたものでも良いし、輪状の腹巻様のものでも良い。【００１４】
図７は、本考案を肘部に適用する場合の１実施例を示す概要図である。装着具は図６の腹・腰部用のものを小型にしてポケットを１箇所にした形状でよい。【００１５】
図８、図９および図１０は、それぞれ手首、膝および足首に適用する場合の１実施例を示す概要図である。装着具は図７の肘用と同じ構造で大きさを各部位にあわせて調整すればよいが、サイズは２種類用意すれば共用が可能である。
【産業上の利用可能性】
【００１６】
天然の焼き塩を木綿生地の袋状容器に入れた焼き塩パックを人体の各部位にフィットするように形作った布製の着脱自在な装着具に設けたポケットに挿入して使用するようにしたので、患部に最適な形状の装着具のポケットに、必要な時に電子レンジで加熱した焼塩パックを挿入して繰り返し手軽に使用することができる。
【図面の簡単な説明】
【００１７】
【図１】本考案を鼻と口の部位に適用する場合の１実施例を示す概要図
【図２】本考案を喉と気管の部位に適用する場合の１実施例を示す概要図
【図３】本考案を肩に適用する場合の１実施例を示す概要図
【図４】本考案を肩から背中上部に適用する場合の１実施例を示す概要図
【図５】本考案を腹部と腰部に適用する場合の１実施例を示す概要図
【図６】腹・腰用の装着具の１実施例を示す概要図
【図７】本考案を肘部に適用する場合の１実施例を示す概要図
【図８】本考案を手首に適用する場合の１実施例を示す概要図
【図９】本考案を膝に適用する場合の１実施例を示す概要図
【図１０】本考案を足首に適用する場合の１実施例を示す概要図
【符号の説明】
【００１８】
１            焼塩パック
２ａ〜２ｉ    装着具
３ａ〜３ｉ    ポケット
４ａ〜４ｂ    マジックテープ（登録商標）
【図１】
0003139423.tif 000003
【図２】
0003139423.tif 000004
【図３】
0003139423.tif 000005
【図４】
0003139423.tif 000006
【図５】
0003139423.tif 000007
【図６】
0003139423.tif 000008
【図７】
0003139423.tif 000009
【図８】
0003139423.tif 000010
【図９】
0003139423.tif 000011
【図１０】
0003139423.tif 000012
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
天然の焼き塩を木綿生地の袋状容器に入れ、電子レンジで加熱した焼き塩パック。
【請求項２】
前記焼き塩パックを挿入するポケットを有し、人体の各部位にフィットする布製の装着具。
【手続補正２】
【補正対象書類名】明細書
【補正対象項目名】全文
【補正方法】変更
【補正の内容】
【考案の詳細な説明】
【技術分野】
【０００１】
本考案は、焼き塩を木綿生地に入れて肩凝りなどの症状を和らげるためのパックに関するものである。
【背景技術】
【０００２】
喉の痛みや、肩凝り・腰痛などを和らげるための塗り薬や、張り薬などは、多種多様のものが実用され、知られている。
【０００３】
しかし、殆んどのものが直接肌に塗り又は貼って使用するため、肌に対する刺激などの負担が発生しやすい。
【０００４】
また、いずれも使い捨てで使用するものであり、繰り返し使用できるものが無い。
【特許文献１】実開昭６３−１３３２１３号公報
【特許文献２】実開平６−１０３２１号公報
【考案の開示】
【考案が解決しようとする課題】
【０００５】
従来の鎮痛・消炎用塗り薬又は貼り薬は、いずれも使い捨てで、繰り返し使用できず、また、直接肌に塗ったり貼り付けたりするため肌への負担が解消できなかった。
【課題を解決するための手段】
【０００６】
本考案の焼き塩パックは、木綿生地などの袋に詰めた焼き塩を電子レンジで加熱・乾燥させたものを、それぞれの部位に適合する形状の装着具に設けたポケットに差し入れて使用する。
【０００７】
本考案の焼き塩パックは、天然の焼き塩を木綿生地の袋状容器に入れて電子レンジで加熱後に患部に当てて使用する。
【０００８】
本考案の焼き塩パックのセットは、天然の焼き塩を木綿生地の袋状容器に入れて電子レンジで加熱後に患部に当てて使用する焼き塩パックを、鼻と口「図１」・喉と気管「図２」・肩「図３」・背中「図４」・下腹と腰「図５」・肘「図６」・手首「図７」・膝「図８」および足首「図９」などの人体の各部位にフィットするように形作った布製の装着具に設けたポケットに挿入して使用するようにした。
【考案の効果】
【０００９】
本考案の焼き塩パックは、肌に優しい木綿生地と自然の恵みの焼き塩を使用したので、肌に対する負担が少ない。また、木綿生地などの袋に詰めた焼き塩を電子レンジで加熱・乾燥させて使用するので、繰り返し使用でき、環境にも優しいという効果がある。
【００１０】
すなわち、本考案の焼き塩パックは、天然の焼き塩を木綿生地の袋状容器に入れた焼き塩パックを、人体の各部位にフィットするように形作った着脱自在な布製の装着具に設けたポケットに挿入して使用するようにしたので、患部に最適な形状の装着具のポケットに、必要な時に電子レンジで加熱した焼塩パックを挿入して繰り返し手軽に使用することができる。
【００１１】
図１〜図５および図７〜図１０に示すように、鼻と口「図１」、喉と気管「図２」、肩「図３」、背中「図４」、下腹と腰「図５」、肘「図７」、手首「図８」、膝「図９」および足首「図１０」などに焼き塩パックを当てられるように形作った布製の装着具を用意する。本考案は、上記各図のような必要な部位にフィットする当該各図のような装着具に設けられたポケットに、電子レンジで加熱処理した焼き塩パックを挿入して使用するようにした。
【００１２】
焼き塩は海水から作られた天然の塩を焼いたものを使用し、焼き塩パックの袋は電子レンジで過熱しても変質しにくい木綿生地製とする。この焼き塩パックを装着するための装着具も肌に優しい木綿生地などの布製又は紙製のものを使用する。また、焼き塩パックの大きさ・形状は使用する部位に合わせて、上記各図に示すように数種類用意する。
【実施例１】
【００１３】
図１は、本考案を鼻と口の部位に適用する場合の１実施例を示す概要図である。通常のマスクに焼き塩パックを挿入するポケットを設けた例である。
【実施例２】
【００１４】
図２は、本考案を喉と気管の部位に適用する場合の１実施例を示す概要図である。首に巻きつけてマジックテープ（登録商標）で留めるようにした三角巾状のベルトに、焼き塩パックを挿入するポケットを設けた例である。
【実施例３】
【００１５】
図３は、本考案を肩に適用する場合の１実施例を示す概要図である。洋服の上着の左右の肩パット状の装着具を紐で繋ぎ、左右の腋の下にもそれぞれ紐を掛けて固定する例を示す。
【実施例４】
【００１６】
図４は、本考案を肩から背中上部に適用する場合の１実施例を示す概要図である。幅広の装着具を固定する方法は図３の場合とほぼ同じである。
【実施例５】
【００１７】
図５は、本考案を腹部と腰部に適用する場合の１実施例を示す概要図である。装着具は図６に示すように幅広の帯状体に腹部（前）用と腰部（後ろ）用のポケットと、固定用のマジックテープ（登録商標）を取り付けたものでも良いし、輪状の腹巻様のものでも良い。
【実施例６】
【００１８】
図７は、本考案を肘部に適用する場合の１実施例を示す概要図である。装着具は図６の腹・腰部用のものを小型にしてポケットを１箇所にした形状でよい。
【実施例７】
【００１９】
図８、図９および図１０は、それぞれ手首、膝および足首に適用する場合の１実施例を示す概要図である。装着具は図７の肘用と同じ構造で大きさを各部位にあわせて調整すればよいが、サイズは２種類用意すれば共用が可能である。
【図面の簡単な説明】
【００２０】
【図１】本考案を鼻と口の部位に適用する場合の１実施例を示す概要図
【図２】本考案を喉と気管の部位に適用する場合の１実施例を示す概要図
【図３】本考案を肩に適用する場合の１実施例を示す概要図
【図４】本考案を肩から背中上部に適用する場合の１実施例を示す概要図
【図５】本考案を腹部と腰部に適用する場合の１実施例を示す概要図
【図６】腹・腰用の装着具の１実施例を示す概要図
【図７】本考案を肘部に適用する場合の１実施例を示す概要図
【図８】本考案を手首に適用する場合の１実施例を示す概要図
【図９】本考案を膝に適用する場合の１実施例を示す概要図
【図１０】本考案を足首に適用する場合の１実施例を示す概要図
【符号の説明】
【００２１】
１            焼塩パック
２ａ〜２ｉ    装着具
３ａ〜３ｉ    ポケット
４ａ〜４ｂ    マジックテープ（登録商標）
【手続補正３】
【補正対象書類名】図面
【補正対象項目名】全図
【補正方法】変更
【補正の内容】
【図１】
0003139423.tif 000013
【図２】
0003139423.tif 000014
【図３】
0003139423.tif 000015
【図４】
0003139423.tif 000016
【図５】
0003139423.tif 000017
【図６】
0003139423.tif 000018
【図７】
0003139423.tif 000019
【図８】
0003139423.tif 000020
【図９】
0003139423.tif 000021
【図１０】
0003139423.tif 000022
【手続補正書】
【提出日】平成19年11月29日(2007.11.29)
【手続補正１】
【補正対象書類名】実用新案登録請求の範囲
【補正対象項目名】全文
【補正方法】変更
【補正の内容】
【実用新案登録請求の範囲】
【請求項１】
天然の焼き塩を木綿生地の袋状容器に入れ、電子レンジで加熱した焼き塩パック。
【請求項２】
請求項１記載の焼き塩パックを挿入するポケットを有し、人体の各部位にフィットする布製の装着具。